(57)【要約】【課題】余計な手間をかけずに端子に対する配線作業を簡便に行うことができる端子用アタッチメントを提供する。【解決手段】端子用アタッチメント１００は、所定の端子（軌道リレーＲの測定端子ＭＴ）を継ぎ足すための継足用端子部材１０と、継足用端子部材１０を挿設するとともに、当該継足用端子部材１０の軸方向に沿ってスライド可能なスリーブ２０と、を備え、スリーブ２０は、継足用端子部材１０の軸方向に沿ってスライドさせることにより、当該継足用端子部材１０の端子部１２が被われた第１の状態（通常状態）と、当該端子部１２が露出した第２の状態（測定状態）と、に変換可能とする。【選択図】図３
2020087655.tif 000002
【特許請求の範囲】
【請求項１】
所定の端子に取り付けられる端子用アタッチメントであって、
前記端子を継ぎ足すための継足用端子部材と、
前記継足用端子部材を挿設するとともに、当該継足用端子部材の軸方向に沿ってスライド可能なスリーブと、
を備え、
前記スリーブは、前記継足用端子部材の軸方向に沿ってスライドさせることによって、当該継足用端子部材の端子部が被われた第１の状態と、当該端子部が露出した第２の状態と、に変換可能であることを特徴とする端子用アタッチメント。
【請求項２】
前記スリーブの脱落を防止するためのストッパーを更に備えていることを特徴とする請求項１に記載の端子用アタッチメント。
【請求項３】
前記ストッパーは、前記スリーブが前記第２の状態に変換された際に当該スリーブを当該ストッパーに固定する固定部を備えていることを特徴とする請求項２に記載の端子用アタッチメント。
【請求項４】
前記ストッパーは、前記スリーブに挿通させる軸部を備え、
前記軸部は、前記固定部としてのテーパー部を備え、
前記スリーブが前記第２の状態に変換される際、前記テーパー部に当該スリーブの内面が押し付けられることにより当該スリーブが当該テーパー部に固定されることを特徴とする請求項３に記載の端子用アタッチメント。
【請求項５】
前記スリーブは、断面の外形が多角形であることを特徴とする請求項１〜４のいずれか一項に記載の端子用アタッチメント。
【請求項６】
前記継足用端子部材のうち前記スリーブによって被われない部分への通電を防止する保護部材を更に備えていることを特徴とする請求項１〜５のいずれか一項に記載の端子用アタッチメント。
【請求項７】
前記所定の端子は、軌道リレーの測定端子であることを特徴とする請求項１〜６のいずれか一項に記載の端子用アタッチメント。
【発明の詳細な説明】
【技術分野】
【０００１】
本発明は、端子用アタッチメントに関する。
【背景技術】
【０００２】
従来、ネジを用いて矢形チップや裸線を接続する場合、金属筒が露出するような向きでキャップを金属端子に取り付ける一方で、ネジを用いずに矢形チップや裸線を接続する場合、絶縁体で覆われた端部が外を向くようにキャップを金属端子に取り付けて接続作業を行うことができる測定用入出力端子が開示されている（特許文献１参照）。
【先行技術文献】
【特許文献】
【０００３】
【特許文献１】実開平４−１４６６号公報
【発明の概要】
【発明が解決しようとする課題】
【０００４】
しかしながら、上記特許文献１に開示されている測定用入出力端子では、ネジを用いずに矢形チップや裸線を接続する場合には金属端子とキャップとの螺合を一旦緩める作業が必要となるが、この金属端子とキャップは短小であり、緩め具合を熟知していないとキャップを脱落させてしまうおそれがあるため、配線作業に余計な手間がかかるという課題がある。
【０００５】
本発明は、上記課題に鑑みてなされたもので、余計な手間をかけずに端子に対する配線作業を簡便に行うことができる端子用アタッチメントを提供することを目的とする。
【課題を解決するための手段】
【０００６】
上記課題を解決するため、この発明は、
所定の端子に取り付けられる端子用アタッチメントであって、
前記端子を継ぎ足すための継足用端子部材と、
前記継足用端子部材を挿設するとともに、当該継足用端子部材の軸方向に沿ってスライド可能なスリーブと、
を備え、
前記スリーブは、前記継足用端子部材の軸方向に沿ってスライドさせることにより、当該継足用端子部材の端子部が被われた第１の状態と、当該端子部が露出した第２の状態と、に変換可能であることを特徴としている。
【０００７】
この構成によれば、スリーブを継足用端子部材の軸方向に沿ってスライドさせ第１の状態から第２の状態に変換させることによって、継足用端子部材の端子部を露出させることができる。
したがって、継足用端子部材の端子部に対する配線作業を行う際に、スリーブを取り外す作業を必要とせず、当該スリーブをスライドさせるだけで当該端子部を露出させることができるので、余計な手間をかけずに当該配線作業を簡便に行うことができる。
【０００８】
また、好ましくは、前記スリーブの脱落を防止するためのストッパーを更に備えるように構成されるとよい。
【０００９】
この構成によれば、ストッパーによって、スリーブの脱落を防止するので、当該スリーブの紛失を防止することができる。
【００１０】
また、好ましくは、前記ストッパーは、前記スリーブが前記第２の状態に変換された際に当該スリーブを当該ストッパーに固定する固定部を備えるように構成されるとよい。
【００１１】
この構成によれば、継足用端子部材の端子部が露出した第２の状態では、スリーブがストッパーに固定された状態となるので、端子部が露出した状態を持続させることができ、当該端子部に対する配線作業をより簡便に行うことができる。
【００１２】
また、好ましくは、前記ストッパーは、前記スリーブに挿通させる軸部を備え、
前記軸部は、前記固定部としてのテーパー部を備え、
前記スリーブが前記第２の状態に変換される際、前記テーパー部に当該スリーブの内面が押し付けられることにより当該スリーブが当該テーパー部に固定されるように構成されるとよい。
【００１３】
この構成によれば、スリーブの内面をテーパー部に押し付けることによって、当該スリーブをストッパーに容易に固定させることができる。
【００１４】
また、好ましくは、前記スリーブは、断面の外形が多角形であるとよい。
【００１５】
この構成によれば、スリーブを掴み易くすることができるので、当該スリーブの操作性を向上させることができる。
【００１６】
また、好ましくは、前記継足用端子部材のうち前記スリーブによって被われない部分への通電を防止する保護部材を更に備えるように構成されるとよい。
【００１７】
この構成によれば、保護部材を備えることによって、継足用端子部材のうちスリーブによって被われない部分への通電を防止するので、当該継足用端子部材と接続された所定の端子を有する機器の誤作動を防止することができる。
【００１８】
また、好ましくは、前記所定の端子は、軌道リレーの測定端子として構成されるとよい。
【００１９】
この構成によれば、軌道リレーが設置される手狭な器具箱内であっても、スリーブをスライドさせることによって、継足用端子部材の端子部を容易に露出させることができるので、余計な手間をかけずに当該端子部に対する配線作業を簡便に行うことができる。この結果、軌道リレーに係る測定作業の効率を向上させることができる。
【発明の効果】
【００２０】
本発明によれば、余計な手間をかけずに端子に対する配線作業を簡便に行うことができる。
【図面の簡単な説明】
【００２１】
【図１】本実施の形態に係る端子用アタッチメントが軌道リレーに取り付けられている状態を示す斜視図である。
【図２】端子用アタッチメントの構成を示す分解斜視図である。
【図３】端子用アタッチメントの変換過程を説明するための図であり、（ａ）は通常状態の端子用アタッチメントを示す斜視図、（ｂ）は通常状態から測定状態に変換される途中の端子用アタッチメントを示す斜視図、（ｃ）は測定状態の端子用アタッチメントを示す斜視図である。
【図４】（ａ）は通常状態の端子用アタッチメントを示す断面図、（ｂ）は測定状態の端子用アタッチメントを示す断面図である。
【図５】従来の測定端子カバーが軌道リレーに取り付けられている状態を示す斜視図である。
【発明を実施するための形態】
【００２２】
以下、添付図面を参照して本発明に係る実施の形態を詳細に説明する。なお、本発明は、図示例に限定されるものではない。
【００２３】
［端子用アタッチメントの用途］
先ず、図１を参照して、本実施の形態の端子用アタッチメント１００の用途の一例を説明する。
【００２４】
図１に示すように、端子用アタッチメント１００は、例えば、軌道リレーＲの前面に配設された各測定端子ＭＴ（図３、図５参照）に取り付けられ、各種電圧や位相などのデータの測定を行う際の配線作業を簡便に行うことができるようにするためのものである。ここで、軌道リレーとは、鉄道において線路上の特定区間に列車が存在するかどうかを検知する軌道回路に用いられるリレーであり、線路わきに設置された器具箱内に配設される。
【００２５】
なお、図５に示すように、従来、軌道リレーＲの各測定端子ＭＴには、測定端子カバーＣが取り付けられていた。測定端子カバーＣは軌道リレーＲの各測定端子ＭＴに対する配線作業を行う際に取り外されることとなるが、測定端子カバーＣは短小で把持し難いため落としたり紛失したりするおそれがあり、当該配線作業に支障を来していた。そこで、上述のように配線作業を簡便に行うべく、従来の測定端子カバーＣの代わりとして端子用アタッチメント１００を軌道リレーＲの測定端子ＭＴに取り付けることとした。
【００２６】
［端子用アタッチメントの構成］
次に、図２を参照して、端子用アタッチメント１００の構成を説明する。
図２は、端子用アタッチメント１００の構成を示す分解斜視図である。
図２に示すように、端子用アタッチメント１００は、継足用端子部材１０と、スリーブ２０と、ストッパー３０と、保護部材４０と、を備えている。
【００２７】
継足用端子部材１０は、軌道リレーＲの測定端子ＭＴを継ぎ足すための部材であり、保護部材４０（後述）を介し測定端子ＭＴに電気的に接続されるようになっている。継足用端子部材１０は、導通可能な材料（例えば、ＳＳ４００など）により形成されている。継足用端子部材１０は、図２に示すように、基端部１１と、端子部１２と、を備えている。
【００２８】
基端部１１は、円筒形状をなし、その外面側に雄螺子１１ａが設けられている。この雄螺子１１ａは、後述するスリーブ２０の内面側に設けられた雌螺子２０ａと螺合させるためのものである。また、基端部１１は、その内面側に雌螺子（図示省略）が設けられている。この雌螺子は、軌道リレーＲの測定端子ＭＴに設けられた雄螺子ＭＴａと螺合させるためのものである。
【００２９】
端子部１２は、丸棒形状をなし、その外面側に雄螺子１２ａが設けられている。この雄螺子１２ａは、後述するストッパー３０の内面側に設けられた雌螺子３１ａ１（図４（ａ）参照）と螺合させるためのものである。また、端子部１２は、その自由端側の端面にマイナス溝１２ｂが設けられている。このマイナス溝１２ｂは、マイナスドライバー等の工具（図示省略）の先端を嵌め込むための溝であり、継足用端子部材１０を測定端子ＭＴに締め付ける際に用いられる溝である。なお、継足用端子部材１０を構成する基端部１１と端子部１２は、それぞれの回転軸心が同一直線上に位置するように設けられている。
【００３０】
スリーブ２０は、継足用端子部材１０を挿設するとともに、当該継足用端子部材１０の軸方向に沿ってスライド可能とされ、当該スリーブ２０をスライドさせることによって、端子部１２が被われた状態（第１の状態；図３（ａ）、図４（ａ）参照）と、当該端子部１２が露出した状態（第２の状態；図３（ｃ）、図４（ｂ）参照）と、に変換可能となっている。スリーブ２０は、絶縁材料（例えば、ポリアセタールなど）により形成されている。スリーブ２０は、図２に示すように、断面の外形が略正方形（稜角が削られ丸みがつけられた正方形）である四角筒状をなし、その内壁に雌螺子２０ａが設けられている。この雌螺子２０ａは、上述した基端部１１の外面側に設けられた雄螺子１１ａと螺合させるためのものである（図４（ａ）参照）。
【００３１】
ストッパー３０は、スリーブ２０の継足用端子部材１０からの抜けを防止するためのものである。ストッパー３０は、ストッパー本体３１と、ナベ小ねじ３２と、が一体となって形成されている。
【００３２】
ストッパー本体３１は、スリーブ２０と同様に、絶縁材料（例えば、ポリアセタールなど）により形成されており、図２に示すように、軸部３１ａと、規制部３１ｂと、を備えている。
【００３３】
軸部３１ａは、円筒形状をなし、その内面側に雌螺子３１ａ１（図４（ａ）参照）が設けられている。この雌螺子３１ａ１は、上述した端子部１２の外面側に設けられた雄螺子１２ａと螺合させるためのものである。また、軸部３１ａは、その外面側において軸方向の途中から規制部３１ｂに向かうにつれて徐々に外径が大きくなり最終的にスリーブ２０の内径よりも大きな外径となるテーパー部（固定部）３１ａ２（図４（ａ）参照）が設けられている。
【００３４】
規制部３１ｂは、スリーブ２０の内径よりも大きい外径を有する円板形状をなしている。つまり、規制部３１ｂは、スリーブ２０が軸部３１ａを通り抜けて脱落してしまうことを防止する役目を果たしている。
【００３５】
ナベ小ねじ３２は、ストッパー本体３１を継足用端子部材１０の端子部１２に締め付ける際に用いられるものである。ナベ小ねじ３２は、絶縁材料（例えば、ポリアミド樹脂系成形材料など）により形成されている。
【００３６】
保護部材４０は、継足用端子部材１０のうちスリーブ２０によって被われない部分への通電を防止するためのものである。保護部材４０は、スリーブ２０やストッパー本体３１と同様に、絶縁材料（例えば、ポリアセタールなど）により形成されている。保護部材４０は、図２に示すように、有底筒状をなし、その筒内に継足用端子部材１０の基端部１１の一部（基端部１１のうち雄螺子１１ａが形成されていない部分）が嵌め込まれるようになっている（図４（ａ）参照）。また、保護部材４０は、その底面部に測定端子ＭＴを挿通可能な挿通孔４０ａが形成されている。これにより、保護部材４０を介して測定端子ＭＴと継足用端子部材１０とを電気的に接続することができるようになっている。
【００３７】
［端子用アタッチメントの使用方法］
次に、図３及び図４を参照して、端子用アタッチメント１００の使用方法を説明する。
図３は、端子用アタッチメント１００の変換過程を説明するための図である。具体的には、同図（ａ）は通常状態（第１の状態）の端子用アタッチメント１００を示す斜視図であり、同図（ｂ）は通常状態から測定状態（第２の状態）に変換される途中の端子用アタッチメント１００を示す斜視図であり、同図（ｃ）は測定状態の端子用アタッチメント１００を示す斜視図である。また、図４（ａ）は通常状態の端子用アタッチメント１００を示す断面図であり、同図（ｂ）は測定状態の端子用アタッチメント１００を示す斜視図である。
【００３８】
図３（ａ）及び図４（ａ）に示すように、通常状態（第１の状態）、すなわち軌道リレーＲの各種電圧や位相の測定（以下、単に測定と称す）を行わない状態での端子用アタッチメント１００は、継足用端子部材１０の基端部１１に設けられた雄螺子１１ａに対してスリーブ２０の内面側に設けられた雌螺子２０ａが螺合され、継足用端子部材１０の端子部１２がスリーブ２０によって被われた状態となっている。したがって、通常状態では、端子部１２への外部からの通電を防止することができるので、軌道リレーＲの誤作動を防止することができる。また、端子用アタッチメント１００は、保護部材４０を備えることによって、継足用端子部材１０のうちスリーブ２０によって被われない部分に対する通電を防止することができるので、軌道リレーＲの誤作動を確実に防止することができるようになっている。
【００３９】
測定を行う場合には、図３（ｂ）に示すように、スリーブ２０を緩める方向（反時計回り方向）に回し、基端部１１とスリーブ２０との螺合を解除して、スリーブ２０を端子部１２の軸方向に沿ってスライド可能な状態へ移行させる。ここで、スリーブ２０は、上述したように断面の外径が略正方形（稜角が削られ丸みがつけられた正方形）である四角筒状をなしているため、掴み易く、緩める方向や締める方向に回す際の操作性を向上させることができるようになっている。
そして、スリーブ２０を手前側にスライドさせストッパー３０の規制部３１ｂで係止させることにより、端子用アタッチメント１００を測定状態（第２の状態）に変換させる。
【００４０】
図３（ｃ）及び図４（ｃ）に示すように、測定状態での端子用アタッチメント１００は、継足用端子部材１０の端子部１２が露出し、端子部１２に測定器のワニ口クリップＣＬを噛ませることが可能な状態となっている。したがって、従来のように測定端子カバーＣ（図５参照）を外す必要がなくなり、スリーブ２０をスライドさせるだけでワニ口クリップＣＬによる配線を簡便に行うことができるようになるので、軌道リレーＲに係る測定作業の効率を向上させることができる。また、通常状態から測定状態に変換された際に、スリーブ２０がストッパー３０の規制部３１ｂで規制されるようになっているので、スリーブ２０の脱落を防止することができる。また、測定状態では、スリーブ２０の内面がテーパー部３１ａ２に押し付けられストッパー３０に固定された状態となっているので、端子部１２が露出した状態を持続させることができ、端子部１２にワニ口クリップＣＬを噛ませ易くすることができる。
【００４１】
測定が終わり、端子用アタッチメント１００を測定状態から通常状態に移行させる場合には、スリーブ２０を継足用端子部材１０の基端部１１側へスライドさせる。そして、スリーブ２０が基端部１１と当接したところで当該スリーブ２０を締める方向（時計回り方向）に回し、基端部１１と螺合させることにより、通常状態に移行させる。
【００４２】
以上のように、本実施の形態の端子用アタッチメント１００によれば、軌道リレーＲの測定端子ＭＴを継ぎ足すための継足用端子部材１０と、継足用端子部材１０を挿設するとともに、当該継足用端子部材１０の軸方向に沿ってスライド可能なスリーブ２０と、を備え、スリーブ２０は、継足用端子部材１０の軸方向に沿ってスライドさせることにより、当該継足用端子部材１０の端子部１２が被われた第１の状態（通常状態）と、当該端子部１２が露出した第２の状態（測定状態）と、に変換可能としたこととなる。
これにより、継足用端子部材１０の端子部１２に対する配線作業を行う際に、スリーブ２０を取り外す作業を必要とせず、当該スリーブ２０をスライドさせるだけで当該端子部１２を露出させることができるので、余計な手間をかけずに当該配線作業を簡便に行うことができる。また、軌道リレーＲが設置される手狭な器具箱内であっても、スリーブ２０をスライドさせることによって、継足用端子部材１０の端子部１２を容易に露出させることができるので、当該端子部１２に対する配線作業を簡便に行うことができる。この結果、軌道リレーに係る測定作業の効率を向上させることができる。
【００４３】
また、本実施の形態の端子用アタッチメント１００によれば、スリーブ２０の脱落を防止するためのストッパー３０を更に備えたこととなるので、当該スリーブ２０の紛失を防止することができる。
【００４４】
また、本実施の形態の端子用アタッチメント１００によれば、ストッパー３０は、スリーブ２０に挿通させる軸部３１ａを備え、軸部３１ａは、テーパー部３１ａ２を備え、スリーブ２０が第２の状態（測定状態）に変換される際、テーパー部３１ａ２に当該スリーブ２０の内面が押し付けられることにより当該スリーブ２０が当該テーパー部３１ａ２に固定されることとなる。
したがって、スリーブ２０の内面をテーパー部３１ａ２に押し付けることによって、当該スリーブ２０をストッパー３０に容易に固定させることができるので、端子部１２が露出した状態を持続させることができ、当該端子部１２に対する配線作業を行い易くすることができる。
【００４５】
また、本実施の形態の端子用アタッチメント１００によれば、スリーブ２０は、断面の外形が略正方形（稜角が削られ丸みがつけられた正方形）であるので、スリーブ２０を掴み易くすることができ、当該スリーブ２０の操作性を向上させることができる。
【００４６】
また、本実施の形態の端子用アタッチメント１００によれば、継足用端子部材１０のうちスリーブ２０によって被われない部分への通電を防止する保護部材４０を更に備えるので、当該継足用端子部材１０と接続された測定端子ＭＴを有する軌道リレーＲの誤作動を防止することができる。
【００４７】
以上、本発明を実施形態に基づいて具体的に説明してきたが、本発明は上記実施形態に限定されるものではなく、その要旨を逸脱しない範囲で変更可能である。
上記実施形態では、端子用アタッチメント１００を軌道リレーＲの測定端子ＭＴに取り付ける場合について説明したが、これは一例に過ぎず、軌道リレーＲ以外の他の電子機器の端子に端子用アタッチメント１００を取り付けるようにしてもよい。
【００４８】
また、上記実施形態では、スリーブ２０が第２の状態（測定状態）に変換された際に当該スリーブ２０をストッパー３０に固定する固定部としてテーパー部３１ａ２を例示したが、テーパー部３１ａ２の代わりに、例えば、スリーブ２０の内面側に設けられた雌螺子２０ａと螺合可能な雄螺子を設けるようにしてもよい。
【００４９】
また、上記実施形態では、スリーブ２０の断面の外形を略正方形（稜角が削られ丸みがつけられた正方形）としたが、当該断面の外径は略正方形に限定されるものではなく、例えば、三角形、四角形、五角形、六角形などの多角形であってもよいし、これらの多角形の各稜角が削られ丸みがつけられた多角形であってもよい。また、スリーブ２０は、例えば、外面側に凹凸を設けたり、滑り難い材質の材料を用いて形成することによって、当該スリーブ２０を掴み易くするようにしてもよく、かかる場合には、スリーブ２０の断面の外径は多角形に限らず円形であってもよい。
【００５０】
また、上記実施形態では、端子用アタッチメント１００が第１の状態（通常状態）にあるとき、基端部１１に設けられた雄螺子１１ａとスリーブ２０に設けられた雌螺子２０ａとを螺合させることによって、当該スリーブ２０を固定するようにしたが、例えば、雄螺子１１ａの代わりとして、基端部１１の外面側にゴムワッシャーを設け、スリーブ２０の開口部に当該ゴムワッシャーを嵌め込むことによって、当該スリーブ２０を固定するようにしてもよい。
【符号の説明】
【００５１】
１００    端子用アタッチメント
１０      継足用端子部材
１１      基端部
１２      端子部
２０      スリーブ
３０      ストッパー
３１      ストッパー本体
３１ａ    軸部
３１ａ１  雌螺子
３１ａ２  テーパー部（固定部）
３１ｂ    規制部
３２      ナベ小ねじ
４０      保護部材
Ｃ        測定端子カバー
ＣＬ      ワニ口クリップ
ＭＴ      測定端子（所定の端子）
Ｒ        軌道リレー
【図１】
2020087655.tif 000003
【図２】
2020087655.tif 000004
【図３】
2020087655.tif 000005
【図４】
2020087655.tif 000006
【図５】
2020087655.tif 000007